(57)【要約】【課題】  檜、ひばなどの木材の成分として保有する芳香、薬用効果に着目し、その木材片の有する芳香、抗菌などの効果を利用した、身辺の各種の生活用具、装飾品などの器具を得ることを目的とする。【解決手段】  檜、ひばなどの芳香を有する木材片の道管、仮道管などに交叉するように、適宜数の貫通する孔およびまたは不貫通の孔を設けたことを特徴とする加工木片。【選択図】  図１
2005246945.tif 000002
【特許請求の範囲】
【請求項１】
檜、ひばなどの芳香を有する木材片の道管、仮道管などに交叉するように、適宜数の貫通する孔およびまたは不貫通の孔を設けたことを特徴とする加工木片。
【発明の詳細な説明】
【技術分野】
【０００１】  この発明は、檜、ひばなどの芳香を有する木材片の道管、仮道管などに交叉するように、適宜数の貫通する孔およびまたは不貫通の孔を設けたことを特徴とし、各種の生活用器具として利用することができる加工木片に関するものである。
【背景技術】
【０００２】  檜、ひばなどの木材は、その成分として芳香を保有しており、木材として利用するとその芳香を放ち、とくに水に濡れるとその芳香は一段と増加し、また持続する。とくに青森県産の青森ひばは、その成分に抗菌、防虫、消臭、脱臭などの成分を含み、またその芳香は精神安定の一種の薬用効果を有すると云われている。そしてそれらの木材は、古来、美麓な木地、材質のすぐれた質感や堅さと相まって、高級な建築材、彫刻材あるいは装飾用木材として利用されているが、直接、身辺の生活用具として身近において、このような木材の有用な性質を利用することは行われていない現状にある。
【発明の開示】
【発明が解決しようとする課題】
【０００３】  この発明は、檜、ひばなどの木材の成分として保有する芳香、薬用効果に着目して、その木材片の有する芳香、抗菌などの効果を利用した、身辺の各種の生活用具、装飾品などの器具を得ることを目的とする。
【課題を解決するための手段】
【０００４】  檜、ひばなどの芳香を有する木材片の道管、仮道管に交叉するように、適宜数の貫通する孔およびまたは不貫通の孔を設けたことを特徴とする加工木片の構成とする。
【発明の効果】
【０００５】  この発明の加工木片は、檜、ひばなどの芳香を有する木材片の道管、仮道管に交叉するように、適宜数の貫通する孔およびまたは不貫通の孔を設けたことを特徴とする構成により、これらの孔中に水を注いだり、水に浸したりすることによって、これらの檜、ひばなどの持つ芳香を一段と多く利用することができる。この発明の加工木片の各種用具を身辺、机上、卓上、台上、床上などに配置することによって、その独特の芳香による心身の癒し効果の作用を利用し、さらに抗菌、消臭、脱臭を有する材質として、これで作った置物、容器、装飾品、台所用具などは、その独特の芳香によって好ましい環境をもたらし、加えてまた防虫、害虫駆除などの衛生面の利用に役立つ用具となるものである。
【発明を実施するための最良の形態】
【０００６】  檜、ひばなどの芳香を有する木材片の道管、仮道管に交叉するように、適宜数の貫通する孔およびまたは不貫通の孔を設けたことを特徴とする加工木片。
【実施例１】
【０００７】  図１に示すように檜、ひばなどの芳香（よい匂い）を有する一定の厚みを有し、矩形状とした木材片（Ａ）において、この木材片（Ａ）を構成する木材組織の道管、仮道管（ａ）などの方向［木材が水分、養分などを通す縦方向の組織］に交叉するように、孔（１）を設ける。図１においては孔（１）は木材片（Ａ）の一方の表面から、一定の間隔をおいて複数個設けてあり、この孔は図１（ロ）［図１（イ）のｘ−ｘ’断面］に示すように、貫通する孔（１ａ）、あるいは不貫通の孔（１ｂ）を適宜数設ける。図示では一辺が１１ｃｍ、厚さ３ｃｍの木材片で、孔の大きさは直径が１ｃｍ、間隔は１〜３ｃｍの場合を示しているが、この木材片の寸法、形状、および孔の数、孔の形、孔相互の間隔、大きさなどは任意である。木材片（Ａ）にこれらの孔を設けることにより、同時にこの木材片（Ａ）の断面積も増加し、芳香を発する面積を増すこととなる。このような木材片（Ａ）はそのまま置いても芳香を発するが、この木材片（Ａ）の孔（１）に水などの液体を注ぐことによって、一段とその芳香を強く発することとなる。【０００８】  すなわち水は孔（１）より木材片（Ａ）の道管、仮道管（ａ）などの組織を伝って木材片（Ａ）中に浸透、充満し、ますます特有の芳香を放つこととなる。さらにはこの木材片（Ａ）を直接、水中に浸して水分を浸透させてもよい。不貫通の孔（１ｂ）はその中に水を溜める状態となることにより、木材片（Ａ）中に浸透し、貫通する孔（１ａ）はその下に置く皿（ｄ）などの容器［図２参照］によって、そこに溜った水分を吸い上げて木材片（Ａ）中に浸透し、それぞれ水分を吸収することにより、木材片（Ａ）は水に濡れた状態となり、それによって特有の芳香を放ち、それが持続する。図２は皿（ｄ）に水（ｗ）を湛え、その中に木材片（Ａ）を置き、生花または造花の花材（ｆ）を挿入した状態を示す。不貫通の孔（１ｂ）には水（ｗ）を入れた状態であり、貫通する孔（１ａ）は皿（ｄ）に溜った水（ｗ）を吸い上げている状態である。【０００９】  さらに木材片（Ａ）を薄くしてシート状とし、顔のマスクの中に挟んで用いることにより、前記の薬用効果、脱臭効果を利用できることとなる。
【産業上の利用可能性】
【００１０】  これらの檜、ひばなどの木材は芳香、こころよい匂いを放つことにより、心身をリラックスさせる癒し効果をもたらし、それは精神安定につながる。そして水などの液体を注ぐことによって、一段とその芳香を強く発し、表面が乾いても、中に浸透した水分により香りが長時間持続する。したがってこの発明の加工木片に水を浸透させ、居間、寝室、トイレット、浴場などの身辺、机上、卓上、台上、床上などに配置することによって、そのような癒し効果の作用を利用することができるし、それは長時間にわたりその香りを楽しむことができる。浴場の座り台として使用することによって、常に水に濡れ、香りが強く持続するので、営業用、宣伝用としても効果的である。さらに抗菌、消臭、脱臭を有する材質として、これで作った置物、容器などは、防虫、害虫駆除などの衛生面の利用に役立つ用具となるものである。すなわち台所や食器棚に置くことで、その効果を発揮し、また安全な材質となる。植木鉢やプランタンの中に入れることによって、防虫効果をもたらす。また趣味面では花器としての利用することにより、生花、造花を、この加工木片の孔中に插し込むことによって、生花を生けた場合には、香り、快い匂いを生花の持つ香り、匂いに加え、また造花の場合には直接、その香り、よい匂いをもたらすので有用である。さらに調理用の俎板として用いることにより、調理の際に芳香を放つので好環境となる。また顔マスク内にこの加工木片のシート状のものを入れて使用することにより、その抗菌作用を利用し、またその香り、匂いを嗜むことができる。
【図面の簡単な説明】
【００１１】
【図１】  この発明の加工木片の実施の一例の斜視図とその断面を示す図。
【図２】  花生け用具として用いた例を示す説明図。
【符号の説明】
【００１２】（Ａ）    加工木片
（１）    孔
（ａ）    道管、仮道管
（１ａ）  貫通する孔
（１ｂ）  不貫通の孔
（ｆ）    花材
（ｗ）    水
【図１】
2005246945.tif 000003
【図２】
2005246945.tif 000004
【手続補正書】
【提出日】平成17年1月20日(2005.1.20)
【手続補正１】
【補正対象書類名】明細書
【補正対象項目名】００１０
【補正方法】変更
【補正の内容】
【００１０】  これらの檜、ひばなどの木材は芳香、こころよい匂いを放つことにより、心身をリラックスさせる癒し効果をもたらし、それは精神安定につながる。そして水などの液体を注ぐことによって、一段とその芳香を強く発し、表面が乾いても、中に浸透した水分により香りが長時間持続する。したがってこの発明の加工木片に水を浸透させ、居間、寝室、トイレット、浴場などの身辺、机上、卓上、台上、床上などに配置することによって、そのような癒し効果の作用を利用することができるし、それは長時間にわたりその香りを楽しむことができる。浴場の座り台として使用することによって、常に水に濡れ、香りが強く持続するので、営業用、宣伝用としても効果的である。また加工木片を浴槽の湯内に投ずることにより、その香り、接触感を楽しむことができる。さらに抗菌、消臭、脱臭を有する材質として、これで作った置物、容器などは、防虫、害虫駆除などの衛生面の利用に役立つ用具となるものである。すなわち台所や食器棚に置くことで、その効果を発揮し、また安全な材質となる。植木鉢やプランタンの中に入れることによって、防虫効果をもたらす。また趣味面では花器としての利用することにより、生花、造花を、この加工木片の孔中に插し込むことによって、生花を生けた場合には、香り、快い匂いを生花の持つ香り、匂いに加え、また造花の場合には直接、その香り、よい匂いをもたらすので有用である。さらに調理用の俎板として用いることにより、調理の際に芳香を放つので好環境となる。また顔マスク内にこの加工木片のシート状のものを入れて使用することにより、その抗菌作用を利用し、またその香り、匂いを嗜むことができる。